【手続補正書】
【提出日】令和3年10月15日(2021.10.15)
【手続補正１】
【補正対象書類名】特許請求の範囲
【補正対象項目名】全文
【補正方法】変更
【補正の内容】
【特許請求の範囲】
【請求項１】
前後方向、左右方向、及び上下方向を備え、
前記上下方向に貫通する複数の孔が上容器底部に形成された上容器と、
前記複数の孔を通過した排泄物を受ける受け部を有するトレイと、
上側に上側開口部を有する本体部と、
トレイ当接部を備える出力本体部と、を有し、
前記上容器が、前記上側開口部に配置された動物用トイレであって、
前記トレイ当接部の後端は、前記受け部の後端より前側に位置し、
前記トレイ当接部には、前記トレイの下面が接触することにより前記トレイの重力が作用し、且つ、前記上容器及び前記本体部の重力が作用しておらず、
前記出力本体部は、前記トレイ当接部に対する荷重に応じて変化する信号を出力する出力部を有し、
前記上容器のうち、前記孔が形成された開孔領域の後端は、前記トレイ当接部の後端と同じ位置、又は前記トレイ当接部の後端より前側に設けられていることを特徴とする動物用トイレ。
【請求項２】
請求項１に記載の動物用トイレであって、
前記トレイを支持する支持部を有する支持容器を有し、
前記支持容器は、前側壁部、左側壁部、右側壁部、及び後側壁部を備え、
前記支持部は、前記前側壁部、前記左側壁部、前記右側壁部、及び前記後側壁部によって囲まれた内側領域に配置され、
前記トレイを、前記内側領域に配置し、且つ、前記前後方向の最も前記前側壁部の側に寄せて配置した状態において、
前記開孔領域の後端から前記トレイ当接部の後端までの第１距離が、
前記左右方向についての中央における、前記内側領域の後端から前記トレイの後端までの第２距離以上であることを特徴とする動物用トイレ。
【請求項３】
請求項１又は２に記載の動物用トイレであって、
前記トレイを支持する支持部を有する支持容器を有し、
前記本体部は、前側に前側開口部を有し、
前記トレイを支持した状態の前記支持容器を、前記前側開口部から前記前後方向に沿って抜き差し可能であり、
前記支持容器の底面には、下方に突出する支持容器凸部が設けられており、
前記本体部は、下方に向かって凹んだ本体凹部が設けられており、
前記支持容器を前記本体部に差し込んで前記本体凹部に前記支持容器凸部を嵌合することによって、前記前後方向の移動が規制されるように構成されており、
前記開孔領域の後端から前記トレイ当接部の後端までの第１距離が、
前記本体凹部の前記前後方向の長さと前記支持容器凸部の前記前後方向の長さの差である第３距離以上であることを特徴とする動物用トイレ。
【請求項４】
請求項１に記載の動物用トイレであって、
前記トレイを支持する支持部を有する支持容器を有し、
前記本体部は、前側に前側開口部を有し、
前記トレイを支持した状態の前記支持容器を、前記前側開口部から前記前後方向に沿って抜き差し可能であり、
前記支持容器は、前側壁部、左側壁部、右側壁部、及び後側壁部を備え、
前記支持部は、前記前側壁部、前記左側壁部、前記右側壁部、及び前記後側壁部によって囲まれた内側領域に配置され、
前記支持容器の底面には、下方に突出する支持容器凸部が設けられており、
前記本体部は、下方に向かって凹んだ本体凹部が設けられており、
前記開孔領域の後端から前記トレイ当接部の後端までの距離を第１距離とし、
前記トレイを、前記内側領域に配置し、且つ、前記前後方向の最も前記前側壁部の側に寄せて配置した状態において、前記左右方向についての中央における、前記内側領域の後端から前記トレイの後端までの距離を第２距離とし、
前記支持容器を前記本体部に差し込んで前記本体凹部に前記支持容器凸部を嵌合することによって、前記前後方向の移動が規制されるように構成されており、前記本体凹部の前記前後方向の長さと前記支持容器凸部の前記前後方向の長さの差である第３距離としたとき、
前記第１距離は、前記第２距離と前記第３距離の和以上であることを特徴とする動物用トイレ。
【請求項５】
請求項１から４のいずれか１項に記載の動物用トイレであって、
前記上容器のうち、前記開孔領域の前記左右方向の一方側の側端は、前記トレイ当接部の前記一方側の側端と同じ位置、又は前記トレイ当接部の前記一方側の側端より内側に設けられていることを特徴とする動物用トイレ。
【請求項６】
請求項５に記載の動物用トイレであって、
前記トレイを支持する支持部を有する支持容器を有し、
前記支持容器は、前側壁部、左側壁部、右側壁部、及び後側壁部を備え、
前記支持部は、前記前側壁部、前記左側壁部、前記右側壁部、及び前記後側壁部によって囲まれた内側領域に配置され、
前記内側領域の前記前後方向についての中央において、
前記開孔領域の前記一方側の側端から前記トレイ当接部の前記一方側の側端までの第４距離が、
前記内側領域の前記左右方向の長さと、前記トレイの外形の前記左右方向の長さとの差である第５距離以上であることを特徴とする動物用トイレ。
【請求項７】
請求項５又は６に記載の動物用トイレであって、
前記トレイを支持する支持部を有する支持容器を有し、
前記本体部は、前側に前側開口部を有し、
前記トレイを支持した状態の前記支持容器を、前記前側開口部から前記前後方向に沿って抜き差し可能であり、
前記支持容器は、前側壁部、左側壁部、右側壁部、及び後側壁部を備え、
前記支持部は、前記前側壁部、前記左側壁部、前記右側壁部、及び前記後側壁部によって囲まれた内側領域に配置され、
前記本体部は、両側部に、前記支持容器の前記左右方向への動きを制限するための側壁部をそれぞれ備え、
前記側壁部は、前記本体部の内側で、且つ、前記前側開口部の両側部からそれぞれ前記前後方向に沿っており、
前記内側領域の前記前後方向についての中央において、
前記開孔領域の前記一方側の側端から前記トレイ当接部の前記一方側の側端までの第４距離が、
前記支持容器の前記左右方向の長さと、前記一方側の前記側壁部の内側の端から前記左右方向の他方側の前記側壁部の内側の端までの距離との差である第６距離以上であることを特徴とする動物用トイレ。
【請求項８】
請求項５に記載の動物用トイレであって、
前記トレイを支持する支持部を有する支持容器を有し、
前記本体部は、前側に前側開口部を有し、
前記トレイを支持した状態の前記支持容器を、前記前側開口部から前記前後方向に沿って抜き差し可能であり、
前記支持容器は、前側壁部、左側壁部、右側壁部、及び後側壁部を備え、
前記支持部は、前記前側壁部、前記左側壁部、前記右側壁部、及び前記後側壁部によって囲まれた内側領域に配置され、
前記本体部は、両側部に、前記支持容器の前記左右方向への動きを制限するための側壁部をそれぞれ備え、
前記側壁部は、前記本体部の内側で、且つ、前記前側開口部の両側部からそれぞれ前記前後方向に沿っており、
前記内側領域の前記前後方向についての中央において、
前記開孔領域の前記一方側の側端から前記トレイ当接部の前記一方側の側端までの距離を第４距離とし、
前記内側領域の前記左右方向の長さと、前記トレイの外形の前記左右方向の長さとの差を第５距離とし、
前記支持容器の前記左右方向の長さと、前記一方側の前記側壁部の内側の端から前記左右方向の他方側の前記側壁部の内側の端までの距離との差を第６距離としたとき、
前記第４距離は、前記第５距離と前記第６距離との和以上であることを特徴とする動物用トイレ。
【請求項９】
請求項１から８のいずれか１項に記載の動物用トイレであって、
前記トレイを支持する支持部を有する支持容器を有し、
前記上容器は、前記前後方向において、中央部に設けられた平面状の前記上容器底部と、前記上容器底部より後方に設けられ、上方に向かって設けられた上容器壁部と、を備え、
前記受け部は、前記前後方向及び前記左右方向の中央部に設けられており、
前記開孔領域の後端から、前記受け部の後端までの、前記前後方向についての距離は、
前記上容器の下面と前記受け部の上面との距離より長いことを特徴とする動物用トイレ。
【請求項１０】
請求項１から９のいずれか１項に記載の動物用トイレであって、
前記上容器は、前記前後方向において、中央部に設けられた平面状の前記上容器底部と、前記上容器底部より後方に設けられ、上方に向かって設けられた上容器壁部と、を備え、
前記上容器底部は、前記開孔領域と、前記孔が設けられていない非開孔領域とを備え、
前記非開孔領域は、前記開孔領域の後側に設けられていることを特徴とする動物用トイレ。
【請求項１１】
請求項１から１０のいずれか１項に記載の動物用トイレであって、
前記開孔領域の前記前後方向の長さは、前記トレイ当接部の前記前後方向の長さより短く、
前記開孔領域の前記左右方向の長さは、前記トレイ当接部の前記左右方向の長さより長いことを特徴とする動物用トイレ。
【請求項１２】
請求項１から１１のいずれか１項に記載の動物用トイレであって、
前記上容器及び前記本体部の上方に配置されるカバーを有し、
前記カバーは、上側にカバー開口部を有し、
前記前後方向において、
前記カバー開口部の中心は、前記開孔領域の中心より後側であり、
前記開孔領域の前端は、前記トレイ当接部の前端と同じ位置、又は前記トレイ当接部の前端より前側に設けられていることを特徴とする動物用トイレ。
【手続補正２】
【補正対象書類名】明細書
【補正対象項目名】００２１
【補正方法】変更
【補正の内容】
【００２１】
かかる動物用トイレであって、前記トレイを支持する支持部を有する支持容器を有し、前記本体部は、前側に前側開口部を有し、前記トレイを支持した状態の前記支持容器を、前記前側開口部から前記前後方向に沿って抜き差し可能であり、前記支持容器は、前側壁部、左側壁部、右側壁部、及び後側壁部を備え、前記支持部は、前記前側壁部、前記左側壁部、前記右側壁部、及び前記後側壁部によって囲まれた内側領域に配置され、前記本体部は、両側部に、前記支持容器の前記左右方向への動きを制限するための側壁部をそれぞれ備え、前記側壁部は、前記本体部の内側で、且つ、前記前側開口部の両側部からそれぞれ前記前後方向に沿っており、前記内側領域の前記前後方向についての中央において、前記開孔領域の前記一方側の側端から前記トレイ当接部の前記一方側の側端までの第４距離が、前記支持容器の前記左右方向の長さと、前記一方側の前記側壁部の内側の端から前記左右方向の他方側の前記側壁部の内側の端までの距離との差である第６距離以上であることが望ましい。
【手続補正３】
【補正対象書類名】明細書
【補正対象項目名】００２３
【補正方法】変更
【補正の内容】
【００２３】
かかる動物用トイレであって、前記トレイを支持する支持部を有する支持容器を有し、前記本体部は、前側に前側開口部を有し、前記トレイを支持した状態の前記支持容器を、前記前側開口部から前記前後方向に沿って抜き差し可能であり、前記支持容器は、前側壁部、左側壁部、右側壁部、及び後側壁部を備え、前記支持部は、前記前側壁部、前記左側壁部、前記右側壁部、及び前記後側壁部によって囲まれた内側領域に配置され、前記本体部は、両側部に、前記支持容器の前記左右方向への動きを制限するための側壁部をそれぞれ備え、前記側壁部は、前記本体部の内側で、且つ、前記前側開口部の両側部からそれぞれ前記前後方向に沿っており、前記内側領域の前記前後方向についての中央において、前記開孔領域の前記一方側の側端から前記トレイ当接部の前記一方側の側端までの距離を第４距離とし、前記内側領域の前記左右方向の長さと、前記トレイの外形の前記左右方向の長さとの差を第５距離とし、前記支持容器の前記左右方向の長さと、前記一方側の前記側壁部の内側の端から前記左右方向の他方側の前記側壁部の内側の端までの距離との差を第６距離としたとき、前記第４距離は、前記第５距離と前記第６距離との和以上であることが望ましい。
【手続補正４】
【補正対象書類名】明細書
【補正対象項目名】００６８
【補正方法】変更
【補正の内容】
【００６８】
図１５は、他の実施形態の動物用トイレ１００の使用状態の本体部２０、トレイ３０、支持容器４０の配置について説明する図である。図１５に示す動物用トイレ１００は、開孔領域Ｈの後端をトレイ当接部６１ａの後端より前側に設け、左右方向について、開孔領域Ｈの左右方向の一方側の側端がトレイ当接部６１ａの一方側（左側）の側端より外側に設けている。動物用トイレ１００は、動物が動物用トイレ１の後側に向かって排泄をした場合でも、トレイ３０が安定した状態でトレイ当接部６１ａに当接して、上側出力部６１に重力が作用する状態とすることができるため、排泄物の重さを正確に計測しやすくなる。